【手続補正書】
【提出日】平成17年1月7日(2005.1.7)
【手続補正１】
【補正対象書類名】明細書
【補正対象項目名】発明の名称
【補正方法】変更
【補正の内容】
【発明の名称】通信機器、及び、メッセージ送信方法
【手続補正２】
【補正対象書類名】明細書
【補正対象項目名】特許請求の範囲
【補正方法】変更
【補正の内容】
【特許請求の範囲】
【請求項１】
携帯情報端末からの発呼信号から発呼先の電話番号とメッセージとを抽出する抽出手段と、
前記抽出手段により抽出された発呼先の電話番号とメッセージとを、対応付けて保持する保持手段と、
前記保持手段に保持したメッセージを付加し、通信回線に発呼先の電話番号で発呼する発呼手段と、
前記発呼手段による発呼動作に対しての発呼先からの応答を検出する検出手段と、
前記検出手段により発呼先からの応答が検出されない場合には、前記発呼手段により再発呼させる再発呼制御手段と
を具備することを特徴とする通信機器。
【請求項２】
所定の時間を計時する計時手段を具備し、
前記再発呼制御手段は、前記発呼手段による再発呼動作を前記計時手段による計時後に行わせることを特徴とする請求項１記載の通信機器。
【請求項３】
前記発呼手段が発呼する通信回線の使用状態を検出する回線検出手段を具備し、
前記再発呼制御手段は、前記回線検出手段により通信回線の使用が検出された場合には、前記発呼手段により再発呼させることを特徴とする請求項１記載の通信機器。
【請求項４】
所定の時間を計時する計時手段を具備し、
前記再発呼制御手段は、前記回線検出手段により通信回線の使用が検出された場合には、前記計時手段による計時後に、前記発呼手段による再発呼動作を行わせることを特徴とする請求項３記載の通信機器。
【請求項５】
所定の時間を計時する計時手段と、
前記発呼手段が発呼する通信回線の使用状態を検出する回線検出手段とを具備し、
前記再発呼制御手段は、前記回線検出手段により通信回線の使用が検出された場合、ならびに前記検出手段により発呼先からの応答が検出されない場合、前記発呼手段による再発呼動作を前記計時手段による計時後に行わせることを特徴とする請求項１記載の通信機器。
【請求項６】
前記抽出手段は、携帯情報端末からの発呼信号から複数の発呼先の電話番号とメッセージとを抽出し、
前記保持手段は、前記抽出手段により抽出された複数の発呼先の電話番号とメッセージとを対応付けて保持し、
前記発呼手段は、前記保持手段に保持したメッセージを付加し、複数の発呼先の電話番号の各々で順次発呼を繰り返すことを特徴とする請求項１記載の通信機器。
【請求項７】
携帯情報端末からの発呼信号から発呼先の電話番号とメッセージとを抽出する抽出ステップと、
前記抽出ステップにて抽出された発呼先の電話番号とメッセージとを、対応付けて保持する保持ステップと、
前記保持ステップにて保持したメッセージを付加し、通信回線に発呼先の電話番号で発呼する発呼ステップと、
前記発呼ステップによる発呼動作に対しての発呼先からの応答を検出する検出ステップと、
前記検出ステップにより発呼先からの応答が検出されない場合には、前記発呼ステップにより再発呼させる再発呼制御ステップ
とからなることを特徴とするメッセージ送信方法。
【手続補正３】
【補正対象書類名】明細書
【補正対象項目名】０００１
【補正方法】変更
【補正の内容】
【０００１】
【発明の属する技術分野】
本発明は、簡易文字等の簡易メッセージ通信を行う通信機器、及び、メッセージ送信方法に関する。
【手続補正４】
【補正対象書類名】明細書
【補正対象項目名】０００４
【補正方法】変更
【補正の内容】
【０００４】
そこで本発明は、簡易メッセージ通信における発呼端末側の操作を軽減でき、また、確実に発呼先の相手に簡易メッセージを通知することができる通信機器、及び、メッセージ送信方法を提供することを目的とする。
【手続補正５】
【補正対象書類名】明細書
【補正対象項目名】０００５
【補正方法】変更
【補正の内容】
【０００５】
【課題を解決するための手段】
上記目的達成のため、請求項１記載の発明による通信機器は、携帯情報端末からの発呼信号から発呼先の電話番号とメッセージとを抽出する抽出手段と、前記抽出手段により抽出された発呼先の電話番号とメッセージとを、対応付けて保持する保持手段と、前記保持手段に保持したメッセージを付加し、通信回線に発呼先の電話番号で発呼する発呼手段と、前記発呼手段による発呼動作に対しての発呼先からの応答を検出する検出手段と、前記検出手段により発呼先からの応答が検出されない場合には、前記発呼手段により再発呼させる再発呼制御手段とを具備することを特徴とする。
【手続補正６】
【補正対象書類名】明細書
【補正対象項目名】００１０
【補正方法】変更
【補正の内容】
【００１０】
また、好ましい態様として、例えば請求項６記載のように、前記抽出手段は、携帯情報端末からの発呼信号から複数の発呼先の電話番号とメッセージとを抽出し、前記保持手段は、前記抽出手段により抽出された複数の発呼先の電話番号とメッセージとを対応付けて保持し、前記発呼手段は、前記保持手段に保持したメッセージを付加し、複数の発呼先の電話番号の各々で順次発呼を繰り返すようにしてもよい。
また、上記目的達成のため、請求項７記載の発明によるメッセージ送信方法は、携帯情報端末からの発呼信号から発呼先の電話番号とメッセージとを抽出する抽出ステップと、前記抽出ステップにて抽出された発呼先の電話番号とメッセージとを、対応付けて保持する保持ステップと、前記保持ステップにて保持したメッセージを付加し、通信回線に発呼先の電話番号で発呼する発呼ステップと、前記発呼ステップによる発呼動作に対しての発呼先からの応答を検出する検出ステップと、前記検出ステップにより発呼先からの応答が検出されない場合には、前記発呼ステップにより再発呼させる再発呼制御ステップとからなることを特徴とする。
【手続補正７】
【補正対象書類名】明細書
【補正対象項目名】００４６
【補正方法】変更
【補正の内容】
【００４６】
【発明の効果】
請求項１記載の発明によれば、抽出手段によって、携帯情報端末からの発呼信号から発呼先の電話番号とメッセージとを抽出し、発呼先の電話番号とメッセージとを対応付けて保持手段に保持し、メッセージを付加して発呼先の電話番号で発呼手段によって通信回線に発呼して発呼先からの応答が検出された場合には、メッセージが通知されたと判断して処理を終了する一方、発呼先からの応答が検出されない場合には、再発呼制御手段によって、発呼手段により再発呼させるようにしたので、発呼先の相手が圏外、話し中などで応答できないような場合でも、携帯情報端末からの発呼操作は１度でよいので、簡易メッセージ通信における発呼端末側の操作を軽減することができるという利点が得られる。
【手続補正８】
【補正対象書類名】明細書
【補正対象項目名】００５１
【補正方法】変更
【補正の内容】
【００５１】
また、請求項６記載の発明によれば、複数の発呼先の電話番号とメッセージとを対応付けて保持し、発呼手段によって発呼先へ発呼する際、複数の発呼先の電話番号の各々で順次発呼を繰り返すようにしたので、１度の発呼操作で複数の発呼先へ簡易文字通信メッセージを通知することができ、発呼端末側の操作を軽減することができるという利点が得られる。
また、請求項７記載の発明によれば、抽出ステップにて、携帯情報端末からの発呼信号から発呼先の電話番号とメッセージとを抽出し、保持ステップにて発呼先の電話番号とメッセージとを対応付けて保持し、メッセージを付加して発呼先の電話番号で発呼ステップにて通信回線に発呼して発呼先からの応答が検出された場合には、メッセージが通知されたと判断して処理を終了する一方、発呼先からの応答が検出されない場合には、再発呼制御ステップにて、発呼ステップにより再発呼させるようにしたので、発呼先の相手が圏外、話し中などで応答できないような場合でも、携帯情報端末からの発呼操作は１度でよいので、簡易メッセージ通信における発呼端末側の操作を軽減することができるという利点が得られる。